(57)【特許請求の範囲】
【請求項１】
のぼり竿の上部を被覆して補強するのぼり竿用補強具であって、
のぼり竿の上部を周回し、上端及び下端に孔部を有する外枠と、
前記外枠に設けられ、回転頭から延伸される横棒を貫通させ前記横棒に接して把持する横棒貫通孔を備えることを特徴とする、のぼり竿用補強具。
【請求項２】
前記外枠は、上端から下端に向けた咬合分割線に沿って２つの部分に分割され、分割された２つの部分を接続した時に前記２つの部分のうちの１つが他の１つを下方から支持することを特徴とする、請求項１に記載ののぼり竿用補強具。
【請求項３】
前記外枠は、上端及び下端にネジ山を有し、
前記ネジ山に咬合して前記２つの部分を接合固定するキャップを備えることを特徴とする、請求項２に記載ののぼり竿用補強具。
【発明の詳細な説明】
【技術分野】
【０００１】
本発明は、のぼり竿が損傷しづらいように補強するのぼり竿用補強具に関する。
【背景技術】
【０００２】
広告等の目的で布などのシート状ののぼりを空間に配置することがある。のぼりの形状を維持するために、矩形状ののぼりの上辺及び１側面を係止するのぼり竿（例えば特許文献１参照）が用いられる。
【０００３】
しかし、のぼり竿は、後述するように、容易に損傷してしまうものである。
【先行技術文献】
【特許文献】
【０００４】
【特許文献１】特開平０８−１９９８５３号公報
【発明の概要】
【発明が解決しようとする課題】
【０００５】
課題の前提となる、のぼり竿の易損傷性について説明する。図１は、のぼり竿を示す図である。図１（Ａ）に示すように、のぼり竿１は、パイプ１３の先端に設けられた回転頭１１から  横棒１２が伸びている。横棒１２とパイプ１３にのぼり２を結合してのぼり２の形状を維持する
【０００６】
のぼり２が風であおられる等により、横棒１２とパイプ１３にのぼり２からの力が加わる。横棒１２に加わった力は、横棒１２を上下左右に移動させ、回転頭１１に応力を発生させる。この応力は、回転頭１１とパイプ１３の接合部分に集中する。
【０００７】
図１（Ｂ）は、回転頭１１の周辺を拡大した図である。横棒１２の移動によって発生する応力は、横棒１２に連動した回転頭１１と、横棒１２と無関係に固定されるパイプ１３との境界である応力集中部１４に集中する。
【０００８】
図１（Ｃ）は、図１（Ａ）における右側から見た図１（Ｂ）と同様の図である。なお、横棒１２は回転頭１１と接しており、回転頭１１に横棒挿入孔１１ａが存在する。ここでも、応力集中部１４に応力が集中する。この結果、応力集中部１４が、短期間の使用で損傷してしまう。
【０００９】
そこで、本発明は、応力の集中を緩和するのぼり竿用補強具を提供することを課題とする。
【課題を解決するための手段】
【００１０】
本発明ののぼり竿用補強具は、
のぼり竿の上部を被覆して補強するのぼり竿用補強具であって、
のぼり竿の上部を周回し、上端及び下端に孔部を有する外枠と、
前記外枠に設けられ、回転頭から延伸される横棒を貫通させ前記横棒に接して把持する横棒貫通孔を備えることを特徴とする。
【００１１】
この特徴によれば、横棒の移動によって発生する応力が、横棒貫通孔を介してのぼり竿用補強具に伝達され（回転頭及びのぼり竿への伝達が減少し）、応力の集中が緩和される。
【００１２】
本発明ののぼり竿用補強具は、
前記外枠は、上端から下端に向けた咬合分割線に沿って２つの部分に分割され、分割された２つの部分を接続した時に前記２つの部分のうちの１つが他の１つを下方から支持することを特徴とする。
【００１３】
この特徴によれば、外枠が左右２つの部分に分割され、のぼり竿用補強具をのぼり竿に装着する時に、のぼり竿が邪魔にならずに容易に装着することができる。また、装着後に安定して使用できる。
【００１４】
本発明ののぼり竿用補強具は、
前記外枠は、上端及び下端にネジ山を有し、
前記ネジ山に咬合して前記２つの部分を接合固定するキャップを備えることを特徴とする。
【００１５】
この特徴によれば、分割された２つの部分が後に離間してしまうことがない。
【発明の効果】
【００１６】
本発明によれば、応力の集中を緩和するのぼり竿用補強具が提供される。
【図面の簡単な説明】
【００１７】
【図１】図１は、のぼり竿を示す図である。
【図２】図２は、のぼり竿用補強具を示す図である。
【図３】図３は、のぼり竿にのぼり竿用補強具を装着した状態を示す図である。
【図４】図４は、横棒とのぼり竿用補強具の関係を示す図である。
【発明を実施するための形態】
【００１８】
図２は、のぼり竿用補強具を示す図である。図２（Ａ）は図１（Ｂ）に相当する方向から、図２（Ｂ）は図１（Ｃ）に相当する方向から見た図である。のぼり竿用補強具３は、外枠３１を備え、横棒貫通孔３２が外枠３１に設けられている（図２（Ｂ）参照）。
【００１９】
外枠３１は、咬合分割線３１ａを境に、左右に分割される（図２（Ａ）参照）。また、外枠３１の上端及び下端にはネジ山３３ａ、３３ｂが設けられ、これらを咬合するキャップ３４ａ、３４ｂが設けられている。
【００２０】
応力の集中の緩和について説明する。図３は、のぼり竿にのぼり竿用補強具を装着した状態を示す図である。のぼり竿１の上部がのぼり竿用補強具３によって被覆されている。横棒１２が、横棒貫通孔３２を貫通し、横棒挿入孔１１ａに到達している。横棒１２は、全体として１本であり横棒挿入孔１１ａを貫通するものであるが。横棒挿入孔１１ａを貫通せずに左右の２本に分かれていてもよい。また、図面右側の１本だけでもよい。
【００２１】
ここで、横棒貫通孔３２が横棒１２を把持する、すなわち、横棒１２が移動すると横棒貫通孔３２の周縁部が押されるものである。これにより、横棒の移動に起因する応力は、横棒貫通孔３２の周縁部を介してのぼり竿用補強具３に伝達される。
【００２２】
図４は、横棒とのぼり竿用補強具の関係を示す図である。図３におけるＳ−Ｓ線断面を示したものである。回転頭１１と外枠３１とが同心円状に配されている。横棒１２が、横棒挿入孔１１ａと横棒貫通孔３２を貫通している。ここで、回転頭１１よりも外枠３１のほうが大径であるので、円の中心を起点に横棒が移動すると、横棒挿入孔１１ａの周縁よりも横棒貫通孔３２の周縁が大きな動きを受ける。すなわち、横棒挿入孔１１ａの周縁を介して回転頭１１（すなわちのぼり竿１）が受ける応力よりも、横棒貫通孔３２の周縁を介して外枠（すなわちのぼり竿用補強具３）が受ける応力のほうが大きい。すなわち、応力の過半がのぼり竿用補強具３に吸収される。のぼり竿１が受ける応力は小さくなり、応力集中部１４における損傷が予防される。
【００２３】
咬合分割線３１ａ、ネジ山３３ａ（３３ｂ）及びキャップ３４ａ（３４ｂ）の効果について説明する。
【００２４】
外枠３１が咬合分割線３１ａによって分割されていないとすると、のぼり竿１にのぼり竿用補強具３を装着することが容易でない。パイプ状ののぼり竿用補強具３にパイプ状ののぼり竿１を挿入するのであるが、横棒１２に阻害され、挿入できない。そこで、外枠３１を２つの部分に分割し、それぞれの部分の横棒貫通孔３２に横棒１２を挿入し、その後に中央部を接合させることで装着を容易にする。
【００２５】
咬合分割線３１ａは、外枠３１の図における左方の部分が、右方の部分に下側から支持される形状となっている。ここで、咬合分割線３１ａに替えて例えば直線状として左右の部分が独立して移動できるようにすると、のぼり竿１にのぼり竿用補強具３を装着して分割しない状態（この状態で使用すると考えられる）において不安定である。横棒１２によって外枠３１の左右それぞれの部分の縦方向の移動が制約されるが、十分に安定ではない。
【００２６】
装着後に外枠３１の左右の２つの部分を固定してさらに安定にするため、雄ネジの形状となるネジ山３３ａ（３３ｂ）が外枠３１の上下両端に設けられている。キャップ３４ａ（３４ｂ）は、ネジ山３３ａ（３３ｂ）に咬合する雌ネジ体である。キャップ３４ａ（３４ｂ）をネジ山３３ａ（３３ｂ）に締め合わせることで、外枠３１の左右の２つの部分が接合固定される。
【００２７】
ここで、下方のキャップ３４ｂは、パイプ１３を通すので、円筒形状である。上方のキャップ３４ａは、円筒形状であっても、上縁に円盤状の蓋を有するものであってもよい。
【００２８】
以上詳細に説明したように、本発明ののぼり竿用補強具３は、横棒１２の移動によって発生する応力を吸収してのぼり竿１の損傷を防ぐことができる。また、容易にのぼり竿１に装着することができ、装着後に安定して使用することができる。
【産業上の利用可能性】
【００２９】
応力の集中を緩和し、のぼり竿の損傷を防ぐことのできるのぼり竿用補強具である。のぼりを使用する多くの者による利用が考えられる。
【符号の説明】
【００３０】
１      のぼり竿
１１    回転頭
１１ａ  横棒挿入孔
１２    横棒
１３    パイプ
１４    応力集中部
２      のぼり
３      のぼり竿用補強具
３１    外枠
３１ａ  咬合分割線
３２    横棒貫通孔
３３    ネジ山
３４    キャップ
【要約】      （修正有）【課題】応力の集中を緩和するのぼり竿用補強具を提供する。【解決手段】のぼり竿の上部を被覆して補強するのぼり竿用補強具３であって、のぼり竿の上部を周回し、上端及び下端に孔部を有する外枠３１と、外枠３１に設けられ、回転頭から延伸される横棒を貫通させ、横棒に接して把持する横棒貫通孔３２を備える。また、外枠３１は、上端から下端に向けた咬合分割線３１ａに沿って２つの部分に分割され、分割された２つの部分を接続した時に２つの部分のうちの１つが、他の１つを下方から支持する。【選択図】図２【図１】
0006899459.tif 000002
【図２】
0006899459.tif 000003
【図３】
0006899459.tif 000004
【図４】
0006899459.tif 000005